(57)【要約】【課題】金属等の網状体、エアコンのルーバー等の如く複数の棒状体、短冊状体等を並設してなるもの或いは突条、溝その他の凹凸部等の汚れを好ましく除去し得るタワシを提供する。【解決手段】スポンジ片（１）に略三角形状の断面を有する多数の突条（３）を並設してなることを特徴とするタワシ。各突条における略三角形状の断面の頂角（３ｃ）は鋭角である。本発明のタワシにより複数の棒状体（７）、短冊状体（９）等を並設してなるものの汚れを除去する際には、各棒状体（７）ないし短冊状体（９）等はタワシにおける突条（３）（３）間の谷部（５）に入り、該棒状体ないし短冊状体等はその両側の突条により包み込まれた状態になる。従って、棒状体ないし短冊状体等のほぼ前面にタワシの突条が接触し、棒状体ないし短冊状体等のほぼ全面の汚れが除去される。【選択図】図１
2005152315.tif 000002
【特許請求の範囲】
【請求項１】
スポンジ片に略三角形状の断面を有する多数の突条を並設してなることを特徴とするタワシ。
【請求項２】
前記各突条における略三角形状の断面の頂角は鋭角であることを特徴とする請求項１に記載のタワシ。
【発明の詳細な説明】
【技術分野】
【０００１】
本発明はタワシに関するものである。本発明のタワシは、例えば金属等の網状体、エアコンのルーバー等の如く複数の棒状体、短冊状体等を並設してなるもの或いは突条、溝その他の凹凸部等の汚れを除去するために使用される。
【背景技術】
【０００２】
棒状体、短冊状体等を並設してなるもの或いは凹凸部等の汚れを除去する際には、一般に直方体状のスポンジタワシが用いられている。
【０００３】
また、特開２０００−０４１９２８号公報は、図６、図７に示すように、スポンジ片２１の作用面２３に縦横に切り込み２５、２５・・・を形成してなるタワシを開示している。
【特許文献１】特開２０００−０４１９２８号公報
【発明の開示】
【発明が解決しようとする課題】
【０００４】
従来より使用されている直方体状のスポンジタワシは、作用面が平坦であるため、食器等を洗う作業には適しているものの、棒状体、短冊状体等を並設してなるもの或いは凹凸部等の汚れを十分に落とすことができないという問題がある。
【０００５】
また、前記特開２０００−０４１９２８号公報に示すタワシにおける切り込み５、５・・・は、髪の毛、粒状のゴミ等を挟持するためのものであり、このタワシも棒状体、短冊状体等を並設してなるもの或いは凹凸部等の汚れを十分に落とすことができないものである。
【０００６】
本発明は、上記従来のタワシにおける上述の如き問題を解決し、例えば金属等の網状体、エアコンのルーバー等の如く複数の棒状体、短冊状体等を並設してなるもの或いは突条、溝その他の凹凸部等の汚れを好ましく除去し得るタワシを提供しようとしてなされたものである。
【課題を解決するための手段】
【０００７】
上記課題を解決するために、本発明は下記のタワシを提供する。
【０００８】
（１）スポンジ片に略三角形状の断面を有する多数の突条を並設してなることを特徴とするタワシ（請求項１）。
【０００９】
（２）前記各突条における略三角形状の断面の頂角は鋭角である（請求項２）。
【００１０】
［発明の作用］
［請求項１の発明］
請求項１の発明によるタワシは、従来のスポンジタワシと同様に使用される。
【００１１】
請求項１の発明によるタワシにより金属等の網状体、エアコンのルーバー等の如く複数の棒状体（７）、短冊状体（９）等を並設してなるものの汚れを除去する際には、タワシをこれらのものに押し付けて擦るのであるが、このとき各棒状体（７）ないし短冊状体（９）等はタワシにおける突条（３）（３）間の谷部（５）に入り、該棒状体（７）ないし短冊状体（９）等はその両側の突条（３）（３）により包み込まれた状態になる。図３、図４参照。従って、棒状体（７）ないし短冊状体（９）等のほぼ前面にタワシの突条（３）（３）が接触することになる。その結果、棒状体（７）ないし短冊状体（９）等のほぼ全面の汚れが除去されることになる。
【００１２】
請求項１の発明によるタワシにより突条、溝その他の凹凸部（１１）の汚れを除去する際には、タワシの突条（３）が凹凸部（１１）の凹部（１３）に嵌まり、タワシは凹凸部（１１）のほぼ全面に接触し、該凹凸部（１１）のほぼ全面の汚れが除去されることになる。図５参照。
【００１３】
［請求項２の発明］
請求項２の発明によるタワシは、各突条における略三角形状の断面の頂角が鋭角であるため、上記作用は更に顕著なものとなる。
【発明の効果】
【００１４】
［請求項１の発明］
前述の如く、請求項１の発明によるタワシにより複数の棒状体（７）、短冊状体（９）等を並設してなるものの汚れを除去する際には、各棒状体（７）ないし短冊状体（９）等はタワシにおける突条（３）（３）間の谷部（５）に入り、該棒状体（７）ないし短冊状体（９）等はその両側の突条（３）（３）により包み込まれた状態になる。従って、棒状体（７）ないし短冊状体（９）等のほぼ前面にタワシの突条（３）（３）が接触し、棒状体（７）ないし短冊状体（９）等のほぼ全面の汚れが除去される。
【００１５】
請求項１の発明によるタワシにより突条、溝その他の凹凸部（１１）の汚れを除去する際には、タワシの突条（３）が凹凸部（１１）の凹部（１３）に嵌まり、タワシは凹凸部（１１）のほぼ全面に接触し、該凹凸部（１１）のほぼ全面の汚れが除去される。
【００１６】
［請求項２の発明］
請求項２の発明によるタワシは、各突条における略三角形状の断面の頂角が鋭角であるため、上記効果は更に顕著なものとなる。
【発明を実施するための最良の形態】
【００１７】
符号１に示すものはスポンジ片である。スポンジ片１は、食器洗い、あかすり、クッション等としてしばしば使用される海綿状の合成樹脂片である。スポンジ片１としては、例えばウレタンフォーム片が好ましく用いられる。
【００１８】
スポンジ片１には略三角形状の断面を有する多数の突条３、３・・・を並設する。突条３と突条３との間には谷部５が形成される。
【００１９】
図１に示す事例においては、一対の相対向する作用面のうちの一方の作用面１ａには多数の突条３ａ、３ａ・・・を相互に平行に配設し、他方の作用面１ｂには該突条３ａ、３ａ・・・よりも小さな突条３ｂ、３ｂ・・・を相互に平行に配設している。
【００２０】
前記各突条３における略三角形状の断面の頂角３ｃ（図２参照）は鋭角であることが望ましい。
【００２１】
本発明のタワシは、例えば金属等の網状体、エアコンのルーバー等の如く複数の棒状体７、短冊状体９等を並設してなるもの、或いは突条、溝その他の凹凸部１１等の汚れを除去する際に好ましく使用される。符号１３に示すものは凹凸部１１の凹部である。
【図面の簡単な説明】
【００２２】
【図１】本発明によるタワシの一例を示す斜視図である。
【図２】同上タワシと棒状体とを示す正面図である。
【図３】同上タワシにより棒状体の汚れを除去している状態を示す断面図である。
【図４】同上タワシにより短冊状体の汚れを除去している状態を示す断面図である。
【図５】同上タワシと凹凸部とを示す正面図である。
【図６】特開２０００−０４１９２８号公報に示すタワシの平面図である。
【図７】特開２０００−０４１９２８号公報に示すタワシの正面図である。
【符号の説明】
【００２３】
１  スポンジ片
１ａ  作用面
１ｂ  作用面
３  突条
３ａ  突条
３ｂ  突条
３ｃ  頂角
５  谷部
７  棒状体
９  短冊状体
１１  凹凸部
１３  凹部
２１  スポンジ片
２３  作用面
２５  切り込み
【図１】
2005152315.tif 000003
【図２】
2005152315.tif 000004
【図３】
2005152315.tif 000005
【図４】
2005152315.tif 000006
【図５】
2005152315.tif 000007
【図６】
2005152315.tif 000008
【図７】
2005152315.tif 000009